(57)【要約】【課題】反射板に歪みなどを発生させることなく反射板のアースを行うことができる照明器具を提供する。【解決手段】本照明器具は、ランプ用のソケット５を保持するソケット台６を有する本体１と、ソケット５を通し本体１に取付けられる反射面を有する反射板２と、反射板２の長手方向両端部に例えばかん合（嵌合）固定され反射板２と電気的に接続されるエンドプレート３とを備える。エンドプレート３は、反射板２の反射面と反対側に突出部１７を有する折り曲げ部２０を備える。ソケット台６は、突出部１７を通す貫通穴１８を備える。これにより、反射板２が本体１に取り付けられた状態でエンドプレート３の折り曲げ部２０の突出部１７がソケット台６の貫通穴１８の切断面に電気的に接触するように構成される。【選択図】  図６
2011165411.tif 000002
【特許請求の範囲】
【請求項１】
ランプ用のソケットを保持するソケット台を有する本体と、前記ソケットを通し前記本体に取付けられる反射面を有する反射板と、前記反射板の長手方向両端部に固定され前記反射板と電気的に接続されるエンドプレートとを備えた照明器具であって、前記エンドプレートが前記反射板の反射面と反対側に突出部を有する折り曲げ部を備え、前記ソケット台が前記突出部を通す貫通穴を備え、前記反射板が前記本体に取り付けられた状態で前記エンドプレートの折り曲げ部の突出部が前記ソケット台の貫通穴の切断面に電気的に接触するように構成した照明器具。
【請求項２】
前記突出部が、テーパ形状を有する請求項１に記載の照明器具。
【請求項３】
前記突出部の先端が、円形状を有する請求項１または２に記載の照明器具。
【発明の詳細な説明】
【技術分野】
【０００１】
本発明は照明器具に係り、特に照明器具を構成する反射板及びエンドプレートのアース構造に関するものである。
【背景技術】
【０００２】
従来の照明器具について、図１、図２、図３及び図４を用いて説明する。照明器具は主に、本体１、反射板２、ランプ４、ソケット台６及び反射板台７で構成されており、本体１には、ソケット５を装着したソケット台６、アース金具１６を装着した反射板台７、アース端子が設けてある電源端子台８、点灯装置９を具備している。また、電源端子台８と、点灯装置９と、ソケット５との電気的接続を可能としている複数の内部電線を具備している。さらに、反射板２に関して、その長手方向両端部には、エンドプレート３をかん合（嵌合）固定しており、反射板２の外郭には、インサート成型によりテーパ形状をした金属板を備えたファスナー１０を複数取り付けている。
【０００３】
照明器具の施工方法例としては、まず、本体１に複数設けてある略円形の貫通取付穴１５に、天井面に用意したボルトを通してナットで固定する。あるいはネジを貫通取付穴１５に通して天井面に直接固定する。次に天井内部から引き出されたアース線を含む外部電線を、本体１の略中央に設けてある略円形の電源穴１２に通し、電源端子台８に接続する。次に、反射板２を本体１の下方向より、反射板２に設けたソケット貫通穴１３にソケット５を通し、同時に反射板台７に設けた略円形のファスナー取付穴１４にテーパ形状をしたファスナー１０を合わせるように天井面１９に接するまで持ち上げる。そして、反射板２を持ち上げた状態で、ファスナー１０を回転させることにより、ファスナー１０に設けられているテーパ部１１と反射板台７が係止され、つまりは反射板２が固定される。さらには、天井面１９と反射板２との隙間が生じる恐れを軽減させるため、テーパ部１１とファスナー取付穴１４との寸法を適切な関係にすることにより、ファスナー１０にトルクを加えた際、反射板２には、上方向に引き上げられる力が働き天井面との密着性が増す。言い換えれば、反射板２の上面が天井面１９に押し付けられている状態となる。そして、ソケット５にランプ４を取り付ける。
【０００４】
さて、従来の反射板２及びエンドプレート３のアースの連続性を保つ方法としては、ファスナー１０にトルクを加えた際、反射板２の塗装が施されている内面をアース金具１６が圧し、塗装を削ることでアース金具１６と反射板２とのアースの連続性が保たれている。さらに、反射板２とエンドプレート３に関して、前述したように両者はかん合（嵌合）固定されており、互い塗装が施されていない切断面で接しているため、アースの連続性が保たれている。アース金具１６と反射板台７、反射板台７と本体１及び本体１と電源端子台８についても同様であり、照明器具の非充電金属部は一貫してアースの連続性が保たれている。また、これとは別に、特許文献１には、反射板に設けた突起をソケット台の穴に挿入してアースを行う技術が記載されている。
【０００５】
そして、照明器具をアースすることの目的は、内部電線が金属部品のエッジに接触することにより損傷し、それが反射板２やエンドプレート３に接触することで発生する感電を防止すること、または反射板に帯電している静電気を除去し、これにより反射板に付着する埃を低減することなどがある。
【先行技術文献】
【特許文献】
【０００６】
【特許文献１】特開２００１−６４２９号公報
【発明の概要】
【発明が解決しようとする課題】
【０００７】
ところで、近年では、京都議定書に端を発した省エネ法やグリーン購入法など環境負荷の削減を目的とした法律が施行され、照明器具においても、例えば、材料の製造、組立から運搬に至るまで、主に二酸化炭素の排出量を削減する取り組みが盛んに行われている。このような情勢のなかで、本照明器具のように構成部品の大半を鋼板で占めるものにあたっては、反射板の小形化や鋼板の板厚が可能な限り薄い材料を使用する傾向がある。
【０００８】
しかしながら、アース金具１６を塗装が施されている反射板２の内面に圧し、塗装を削ることでアース金具１６と反射板２とのアースの連続性を保つという従来の方法は、アース金具１６を追加することにより部品コストが増加し、また、薄板材料である反射板２の内面がアース金具１６に圧迫されることにより、意匠面である反射板２の外面に歪みなどが発生する恐れがある。
【０００９】
また、前述の特許文献１の技術であっても、反射板に設けた突起が変形することで、意匠面である反射板に歪みが発生し、ソケットを貫通させることが困難な場合がある。
【００１０】
従って本発明の目的は、反射板に歪みなどを発生させることなく反射板のアースを行うことができる照明器具を提供することにある。
【課題を解決するための手段】
【００１１】
上記目的を達成するため、本発明に係る照明器具は、ランプ用のソケットを保持するソケット台を有する本体と、前記ソケットを通し前記本体に取付けられる反射面を有する反射板と、前記反射板の長手方向両端部に固定され前記反射板と電気的に接続されるエンドプレートとを備えた照明器具であって、前記エンドプレートが前記反射板の反射面と反対側に突出部を有する折り曲げ部を備え、前記ソケット台が前記突出部を通す貫通穴を備え、前記反射板が前記本体に取り付けられた状態で前記エンドプレートの折り曲げ部の突出部が前記ソケット台の貫通穴の切断面に電気的に接触するように構成したものである。ここで、突出部は、テーパ形状を有することができる。また、突出部の先端は、円形状を有することができる。
【発明の効果】
【００１２】
本発明によれば、照明器具の反射板に歪みなどを発生させることなく反射板のアースを行うことができる。すなわち、反射板の内面がアース金具に圧迫されたり、あるいは反射板に設けた突起に圧力がかかったりして、意匠面である反射板の外面に歪みなどが発生する恐れを無くすことが可能である。これにより本構成を有しない場合に比べ、反射板の材料である鋼板の板厚をより薄くすることができる。また、突出部をテーパ形状とすることにより貫通穴の切断面との電気的接触をより確実とすることができる。さらに、突出部の先端を円形状とすることにより突出部の貫通穴への挿入をより容易とするとともに安全性を向上することができる。
【図面の簡単な説明】
【００１３】
【図１】従来の照明器具の一例を示す斜視図である。
【図２】従来の照明器具の一例を示す分解斜視図である。
【図３】照明器具のファスナーの一例を示す正面図である。
【図４】従来の照明器具の一例を示す断面図で、（ａ）は反射板取付前の図であり、（ｂ）は反射板取付後の図である。
【図５】本発明に係る照明器具の一実施例を示す反射板の斜視図である。
【図６】本発明に係る照明器具の一実施例を示す分解斜視図である。
【発明を実施するための形態】
【００１４】
以下、本発明に係る照明器具の一実施例について、図５及び図６を用いて説明する。本発明に係る照明器具の構成部品及び施工方法は従来の照明器具と一部を除き同じであり、図中に記載する参照符号は本願図面において全て共通符号とする。
【００１５】
図５は本発明に係る照明器具の一実施例を示す反射板の斜視図であり、図６は本発明に係る照明器具の一実施例を示す分解斜視図である。図示のように、本実施例は、ランプ用のソケット５を保持するソケット台６を有する本体１と、ソケット５を通し本体１に取付けられる反射面を有する反射板２と、反射板２の長手方向両端部に例えばかん合（嵌合）固定され反射板２と電気的に接続されるエンドプレート３とを備える。反射板２の反射面はランプの光を反射するためのものである。エンドプレート３は、反射板２の反射面と反対側に突出部１７を有する折り曲げ部２０を備える。ソケット台６は、突出部１７を通す貫通穴１８を備える。これにより、反射板２が本体１に取り付けられた状態でエンドプレート３の折り曲げ部２０の突出部１７がソケット台６の貫通穴１８の切断面に電気的に接触するように構成される。突出部１７は、貫通穴１８に嵌合しやすいように、ソケット台６すなわち反射板２に対し略垂直方向に向けられることが好ましい。突出部１７は、好適にはテーパ形状を有し、また突出部の先端は、好適には円形状を有する。突出部１７のテーパ形状は両側あるいは片側に設けることができる。
【００１６】
また、ソケット台５に貫通穴１８を設ける位置は、反射板２を本体１に取り付けた際、貫通穴１８の切断面が突出部１７の切断面と電気的に少なくとも１箇所接する寸法関係とする。
【００１７】
以上のような構造にすることにより、従来の照明器具において必要であったアース金具などの部品を使用することなく、反射板とのアースの連続性を確保することができ、部品コストを低減することが可能である。さらには、反射板の内面がアース金具に圧迫されることにより、意匠面である反射板の反射面に歪みが発生する恐れを無くすことが可能である。これは、本発明では、反射板２のアースを行うときに圧迫されるのは、反射板２そのものではなく、反射板２の反射面と反対側に位置するエンドプレート３の折り曲げ部２０の突出部１７だからである。これにより本構成を有しない場合に比べ、反射板２の材料である鋼板の板厚をより薄くすることができる。
【符号の説明】
【００１８】
１  本体
２  反射板
３  エンドプレート
４  ランプ
５  ソケット
６  ソケット台
７  反射板台
８  電源端子台
９  点灯装置
１０  ファスナー
１１  テーパ部
１２  電源穴
１３  ソケット貫通穴
１４  ファスナー取付穴
１５  貫通取付穴
１６  アース金具
１７  突出部
１８  貫通穴
１９  天井面
２０  折り曲げ部
【図１】
2011165411.tif 000003
【図２】
2011165411.tif 000004
【図３】
2011165411.tif 000005
【図４】
2011165411.tif 000006
【図５】
2011165411.tif 000007
【図６】
2011165411.tif 000008